(57)【要約】【課題】従来、冷蔵庫に格納されている送信経路情報に基づいて情報の通知ができなかったため、例えば、冷蔵庫が学校のクラスの連絡網に関する情報である送信経路情報を格納しており、入力された緊急連絡を自動的に他の冷蔵庫に通知して、かつ、他の冷蔵庫で送信された情報が閲覧されたか否かを確認することができなかった。【解決手段】格納している送信経路情報に基づいて、情報を他の冷蔵庫に送信する情報送信部と、他の冷蔵庫から確認情報を受信する確認情報受信部と、確認情報受信部が受信した確認情報の受信状況を示す情報である確認受信状況情報を出力する確認受信状況情報出力部を具備する冷蔵庫であり、かかる冷蔵庫により冷蔵庫に格納されている送信経路情報に基づいて他の冷蔵庫に情報の通知ができ、かつ、他の冷蔵庫に送信された情報が閲覧されたか否かを確認することができる。【選択図】　図２
2004138280.tif 000002
【特許請求の範囲】
【請求項１】
情報を格納している情報格納部と、
前記情報の送信経路に関する情報である送信経路情報を格納している送信経路情報格納部と、
前記送信経路情報に基づいて、前記情報格納部に格納されている情報を他の冷蔵庫に送信する情報送信部と、
前記他の冷蔵庫から確認情報を受信する確認情報受信部と、
前記確認情報受信部が受信した確認情報の受信状況を示す情報である確認受信状況情報を出力する確認受信状況情報出力部を具備する冷蔵庫。
【請求項２】
前記送信経路情報が２段以上の階層構造を有し、
前記送信経路情報を構成するノードが示す冷蔵庫から前記確認情報受信部が確認情報を受信した場合に、当該ノードの下位のノードが示す冷蔵庫に前記情報送信部が情報を送信する
請求項１記載の冷蔵庫。
【請求項３】
他の冷蔵庫から情報を受信する情報受信部と、
前記情報を出力する情報出力部と、
前記情報出力部における情報の出力に対応して、入力を受け付ける情報入力受付部と、
前記情報入力受付部が入力を受け付けた場合に、確認情報を前記他の冷蔵庫に送信する確認情報送信部を具備する冷蔵庫。
【請求項４】
冷蔵庫のドアの開閉を検知するドア開閉検知部と、
前記ドア開閉検知部がドアの開閉を検知し、かつ前記情報入力受付部が入力を受け付けていない場合に、入力を促す入力催促部を
さらに具備する請求項３記載の冷蔵庫。
【請求項５】
第一冷蔵庫と情報処理装置と１以上の第二冷蔵庫を有する情報処理システムであって、
前記第一冷蔵庫は、
情報を格納している情報格納部と、
前記情報を前記情報処理装置に送信する第一情報送信部を具備し、
前記情報処理装置は、
前記情報の送信経路に関する情報である送信経路情報を格納している送信経路情報格納部と、
前記情報を受信する第二情報受信部と、
前記送信経路情報に基づいて、前記第一情報受信部が受信した情報を前記第二冷蔵庫に送信する第二情報送信部と、
前記第二冷蔵庫から確認情報を受信する確認情報受信部と、
前記確認情報の受信状況に関する情報である確認受信状況情報を蓄積する確認受信状況情報蓄積部を具備し、
前記第二冷蔵庫は、
前記情報処理装置から情報を受信する第三情報受信部と、
前記情報を出力する情報出力部と、
前記情報出力部における情報の出力に対応して、入力を受け付ける情報入力受付部と、
前記情報入力受付部で入力を受け付けた場合に、確認情報を前記情報処理装置に送信する確認情報送信部
を具備する情報処理システム。
【請求項６】
前記情報処理装置は、
前記確認受信状況情報蓄積部が蓄積した確認受信状況情報を前記第一冷蔵庫に送信する確認受信状況情報送信部をさらに具備し、
前記第一冷蔵庫は、
前記確認受信状況情報を受信する確認受信状況情報受信部と、
前記確認受信状況情報を出力する確認受信状況情報出力部をさらに具備する
請求項５記載の情報処理システム。
【請求項７】
前記確認受信状況情報送信部は、前記確認情報受信部が受信する確認情報の受信状況が一定の条件に合致した場合に確認受信状況情報を前記第一冷蔵庫に送信する請求項６記載の情報処理システム。
【請求項８】
前記確認受信状況情報送信部は、予め決められた時刻になったときに、確認受信状況情報を前記第一冷蔵庫に送信する請求項６記載の情報処理システム。
【請求項９】
前記確認受信状況情報送信部は、前記第一冷蔵庫からの指示により確認受信状況情報を前記第一冷蔵庫に送信する請求項６記載の情報処理システム。
【請求項１０】
前記送信経路情報が２段以上の階層構造を有し、
前記第二情報送信部は、
前記送信経路情報を構成するノードが示す冷蔵庫から前記確認情報受信部が確認情報を受信した場合に、当該ノードの下位のノードが示す第二冷蔵庫に前記情報送信部が情報を送信する
請求項５記載の情報処理システム。
【請求項１１】
請求項５から請求項９いずれか記載の情報処理システムを構成する第一冷蔵庫。
【請求項１２】
請求項５から請求項９いずれか記載の情報処理システムを構成する第二冷蔵庫。
【請求項１３】
請求項５から請求項９いずれか記載の情報処理システムを構成する情報処理装置。
【発明の詳細な説明】
【０００１】
【発明の属する技術分野】
本発明は、情報を他の冷蔵庫に通知することができる冷蔵庫等に関する。
【０００２】
【従来の技術】
従来の冷蔵庫において、通信可能なインターネット冷蔵庫という冷蔵庫があった（特許文献１参照）。かかるインターネット冷蔵庫は、インターネットを介して遠隔地の通信装置とデータ通信を行うモデム、冷蔵庫の構成要素を制御する第１制御部、ユーザタッチによってキー信号を発生するタッチパネル、該キー信号と遠隔地通信装置からのキー信号に応答して第１制御部を含む冷蔵庫の他の構成要素を制御する第２制御部、第２制御部の制御によって必要な情報をディスプレイするディスプレイ部、冷蔵庫をインターネットと接続するインターネット接続装置を含む。インターネット冷蔵庫の内部情報及び外部通信装置からの情報を用いて付加的サービスが提供される。
【０００３】
【特許文献１】
特開２００１−２４８９５５号公報（第１頁、第１図等）
【０００４】
【発明が解決しようとする課題】
しかし、上記従来技術によれば、冷蔵庫または情報処理装置に格納されている送信経路情報に基づいて情報の通知ができなかった。つまり、例えば、冷蔵庫が学校のクラスの連絡網に関する情報である送信経路情報を格納しており、入力された緊急連絡を自動的に他の冷蔵庫に通知して、かつ、他の冷蔵庫で送信された情報が閲覧されたか否かを確認することができなかった。
【０００５】
なお、緊急連絡には、運動会や遠足の中止の連絡や、学校のクラブ活動に関する集合場所の変更などの連絡等がある。
【０００６】
【課題を解決するための手段】
そこで、第一の発明は、情報の送信経路に関する情報である送信経路情報を格納している送信経路情報格納部と、送信経路情報に基づいて、情報を他の冷蔵庫に送信する情報送信部と、他の冷蔵庫から確認情報を受信する確認情報受信部と、確認情報受信部が受信した確認情報の受信状況を示す情報である確認受信状況情報を出力する確認受信状況情報出力部を具備する冷蔵庫であり、かかる冷蔵庫により冷蔵庫に格納されている送信経路情報に基づいて他の冷蔵庫に情報の通知ができ、かつ、他の冷蔵庫に送信された情報が閲覧されたか否かを確認することができる。
【０００７】
また、第二の発明は、冷蔵庫のドアの開閉を検知するドア開閉検知部と、ドア開閉検知部がドアの開閉を検知し、かつ情報入力受付部が入力を受け付けていない場合に、入力を促す入力催促部をさらに具備する冷蔵庫により、常時通電されており、かつ日常利用する冷蔵庫のドアの開閉をトリガーとして、確実に情報を通知できる。
【０００８】
さらに、第三の発明は、第一冷蔵庫と情報処理装置と１以上の第二冷蔵庫を有する情報処理システムであって、第一冷蔵庫は、情報を格納している情報格納部と、情報を情報処理装置に送信する第一情報送信部を具備し、情報処理装置は、情報の送信経路に関する情報である送信経路情報を格納している送信経路情報格納部と、情報を受信する第二情報受信部と、送信経路情報に基づいて、第一情報受信部が受信した情報を第二冷蔵庫に送信する第二情報送信部と、第二冷蔵庫から確認情報を受信する確認情報受信部と、確認情報の受信状況に関する情報である確認受信状況情報を蓄積する確認受信状況情報蓄積部を具備し、第二冷蔵庫は、情報処理装置から情報を受信する第三情報受信部と、情報を出力する情報出力部と、情報出力部における情報の出力に対応して入力を受け付ける情報入力受付部と、確認情報を情報処理装置に送信する確認情報送信部を具備する情報処理システムであり、かかる情報処理システムにより、格納されている送信経路情報に基づいて他の冷蔵庫に情報の通知ができ、かつ、他の冷蔵庫に送信された情報が閲覧されたか否かを確認することができ、また、情報処理装置で送信経路情報の管理ができる。
【０００９】
【発明の実施の形態】
以下、冷蔵庫や情報処理システム等の実施形態について図面を参照して説明する。なお、実施の形態において同じ符号を付した構成要素は同様の動作を行うので、再度の説明を省略する場合がある。
【００１０】
（実施の形態１）
図１は、本実施の形態における情報処理システムの概念図である。本情報処理システムは、第一冷蔵庫１１と複数の第二冷蔵庫１２を有し、第一冷蔵庫１１と第二冷蔵庫１２は、通信が可能である。
【００１１】
図２は、本実施の形態における情報処理システムのブロック図である。第一冷蔵庫１１は、入力受付部１１０１、情報記録部１１０２、情報格納部１１０３、送信経路情報記録部１１０４、送信経路情報格納部１１０５、情報送信部１１０６、確認情報受信部１１０７、確認受信状況情報出力部１１０８を有する。
【００１２】
第二冷蔵庫１２は、情報受信部１２０１、情報出力部１２０２、情報入力受付部１２０３、確認情報送信部１２０４、ドア開閉検知部１２０５、入力催促部１２０６を有する。
【００１３】
入力受付部１１０１は、通知する情報または情報の送信経路に関する情報である送信経路情報の入力を受け付ける。情報や送信経路情報の受け付けは、例えば、外部の装置からの通信による。また、情報や送信経路情報の受け付けは、例えば、キーボードやマウスやリモコン等による。また、情報や送信経路情報の受け付けは、例えば、タッチパネルとメニューやソフトキーボード等の入力手段による。また、情報や送信経路情報のデータ構造は問わない。
【００１４】
情報は、１以上の第二冷蔵庫に送信する情報である。情報は、例えば、運動会の中止や、暴風雨警報等による休校等の緊急連絡情報である。情報は、例えば、町内会で回覧すべき情報等である。
【００１５】
また、送信経路情報は、第二冷蔵庫１２と通信するための情報を含む。第二冷蔵庫１２と通信するための情報とは、例えば、第二冷蔵庫１２に割り当てられたＩＰアドレスや電話番号等である。ＩＰアドレスは、ＩＰｖ６表記のものでもＩＰｖ４表記のものでも良い。また、送信経路情報は、２段以上の階層構造をする場合もあり得る。かかる階層構造についての詳細は、以下で述べる。送信経路情報が階層構造を有する場合、階層構造を構成する一の冷蔵庫の情報を、適宜、ノードという。
【００１６】
入力受付部１１０１は、例えば、通信手段で実現され得る。また、入力受付部１１０１は、例えば、タッチパネルとそのドライバーソフト等で実現され得る。
【００１７】
情報記録部１１０２は、入力受付部１１０１で受け付けた情報を情報格納部１１０３に記録する。情報記録部１１０２は、通常、ＭＰＵやメモリ等から実現され得る。情報記録部１１０２が情報を記録するための処理手順は、通常、ソフトウェアで実現され、当該ソフトウェアはＲＯＭ等の記録媒体に記録されている。
【００１８】
情報格納部１１０３は、情報記録部１１０２が記録した情報を格納している。情報格納部１１０３は、不揮発性の記録媒体でも揮発性の記録媒体でも良い。
【００１９】
送信経路情報記録部１１０４は、入力受付部１１０１で受け付けた送信経路情報を送信経路情報格納部１１０５に記録する。送信経路情報記録部１１０４は、通常、ＭＰＵやメモリ等から実現され得る。送信経路情報記録部１１０４が送信経路情報を記録するための処理手順は、通常、ソフトウェアで実現され、当該ソフトウェアはＲＯＭ等の記録媒体に記録されている。
【００２０】
送信経路情報格納部１１０５は、送信経路情報記録部１１０４が記録した送信経路情報を格納している。送信経路情報格納部１１０５は、不揮発性の記録媒体でも揮発性の記録媒体でも良い。
【００２１】
情報送信部１１０６は、送信経路情報格納部１１０５に格納されている送信経路情報に基づいて、情報格納部１１０３に格納されている情報を第二冷蔵庫１２に送信する。情報送信部１１０６は、第二冷蔵庫１２は複数存在するが、そのうちどの冷蔵庫に情報を送信するかを送信経路情報に基づいて決定する。情報送信部１１０６は、送信先を決定するソフトウェアと通信手段等で実現され得る。この通信手段は、無線通信手段でも有線の通信手段でも良い。なお、この通信手段は、ＣＡＴＶを含む放送手段でも実現可能である。
【００２２】
確認情報受信部１１０７は、確認情報を第二冷蔵庫１２から受信する。確認情報とは、第二冷蔵庫において、情報の出力に対応して、ユーザが入力した情報である。確認情報は、例えば、第二冷蔵庫のユーザが、情報を受信して閲覧した旨を示す情報である。但し、確認情報の意味合いは問わない。確認情報受信部１１０７は、無線または有線の通信手段で実現され得る。なお、確認情報受信部１１０７は、ＣＡＴＶを含む放送を受信する手段でも実現可能である。また、確認情報受信部１１０７の通信手段と情報送信部１１０６の通信手段は、通常、一の通信手段で実現される。
【００２３】
確認受信状況情報出力部１１０８は、確認情報受信部１１０７が受信した確認情報の受信状況を示す情報である確認受信状況情報を出力する。確認受信状況情報は、受信した確認情報の数や、確認情報を送信した第二冷蔵庫１２を特定する情報などがある。また、確認受信状況情報は、確認情報と同一の情報でも良い。また、確認受信状況情報のデータ構造やデータの内容は問わない。確認受信状況情報は、受信した確認情報の受信状況を示す情報であれば何でも良い。確認受信状況情報の出力は、通常、ディスプレイへの表示を言うが、スピーカーへの音出力でも良い。確認受信状況情報出力部１１０８は、ディスプレイ等の出力媒体を含むと考えても、出力媒体を含まないと考えても良い。
【００２４】
情報受信部１２０１は、第一冷蔵庫１１から情報を受信する。情報受信部１２０１は、通常、無線または有線の通信手段で実現され得る。なお、情報受信部１２０１は、ＣＡＴＶを含む放送を受信する手段でも実現可能である。
【００２５】
情報出力部１２０２は、情報受信部１２０１が受信した情報を出力する。出力とは、通常、ディスプレイへの表示を言うが、スピーカーへの音出力でも良い。情報出力部１２０２は、ディスプレイ等の出力媒体を含むと考えても、出力媒体を含まないと考えても良い。
【００２６】
情報入力受付部１２０３は、情報出力部１２０２における情報の出力に対応して、入力を受け付ける。入力されるデータの中身や構造等は問わない。入力の受け付けは、例えば、情報が出力された画面に対して、タッチすることである。かかる場合、画面はタッチパネルで構成されている。入力は、音声による入力である場合もあり得る。
【００２７】
確認情報送信部１２０４は、情報入力受付部１２０３が入力を受け付けた場合に、確認情報を構成し、第一冷蔵庫１１に送信する。なお、情報入力受付部１２０３が受け付けた入力と、第一冷蔵庫１１に送信する確認情報のデータ構造やデータの中身等は変わっていても、同じでも良い。確認情報送信部１２０４は、情報出力に対応して入力があった旨等を示す情報を第一冷蔵庫１１に送信すれば良い。確認情報送信部１２０４は、通常、無線または有線の通信手段で実現され得る。なお、確認情報送信部１２０４は、ＣＡＴＶを含む放送手段でも実現可能である。なお、確認情報送信部１２０４と情報受信部１２０１は、一の手段で実現され得る。
【００２８】
ドア開閉検知部１２０５は、冷蔵庫のドアの開閉を検知する。ドアの開閉を検知する手段は種々考えられる。ドア開閉検知部１２０５の実現手段の詳細は、以下で述べる。なお、ドアの開閉を検知する手段は公知技術である。
【００２９】
入力催促部１２０６は、ドア開閉検知部１２０５が冷蔵庫のドアの開閉を検知した場合に、情報入力受付部１２０３が入力を受け付けたか否かを判断し、入力を受け付けていなければ、入力を促す。入力を促す方法は、例えば、ブザー音の出力である。また、入力を促す方法は、例えば、情報出力部１２０２による情報の出力である。また、入力を促す方法は、例えば、ブザー音の出力および情報出力部１２０２による情報の出力である。その他、入力を促す方法は問わない。入力催促部１２０６は、通常、ＭＰＵやメモリ等から実現され得る。入力催促部１２０６が入力を促すための処理手順は、通常、ソフトウェアで実現され、当該ソフトウェアはＲＯＭ等の記録媒体に記録されている。なお、入力催促部１２０６は、冷蔵庫に人が近づいたことを検知した場合に、情報入力受付部１２０３が入力を受け付けたか否かを判断し、入力を受け付けていなければ、入力を促しても良い。冷蔵庫に人が近づいたことを検知する手段は、例えば、赤外線による。冷蔵庫に人が近づいたことを検知する手段は、公知技術であるので、詳細な説明は省略する。
【００３０】
以下、本情報処理システムの動作について説明する。まず、第一冷蔵庫１１の動作について図３のフローチャートを用いて説明する。
【００３１】
（ステップＳ３０１）入力受付部１１０１は、入力を受け付けたか否かを判断する。入力を受け付ければステップＳ３０２に行き、入力を受け付けなければステップＳ３０７に飛ぶ。
【００３２】
（ステップＳ３０２）ステップＳ３０１で受け付けた情報が１以上の第二冷蔵庫１２に送信する情報であるか否かを判断する。送信する情報であればステップＳ３０３に行き、送信する情報でなければステップＳ３０５に飛ぶ。
【００３３】
（ステップＳ３０３）情報送信部１１０６は、送信経路情報格納部１１０５に格納されている１段目の送信先を示すノード（第二冷蔵庫）の情報を取得する。この情報は、第二冷蔵庫のＩＰアドレス等である。
【００３４】
（ステップＳ３０４）情報送信部１１０６は、ステップＳ３０３で取得した送信先にステップＳ３０１で受け付けた情報を送信する。ここで、送信先は２以上存在し得る。
【００３５】
（ステップＳ３０５）ステップＳ３０１で受け付けた情報が送信経路情報であるか否かを判断する。送信経路情報であればステップＳ３０６に行き、送信経路情報でなければステップＳ３０１に戻る。
【００３６】
（ステップＳ３０６）送信経路情報記録部１１０４は、ステップＳ３０５で受け付けた送信経路情報を送信経路情報格納部１１０５に記録する。
【００３７】
（ステップＳ３０７）確認情報受信部１１０７は、第二冷蔵庫１２から確認情報を受信したか否かを判断する。確認情報を受信すればステップＳ３０８に行き、確認情報を受信しなければステップＳ３０１に戻る。
【００３８】
（ステップＳ３０８）情報送信部１１０６は、ステップＳ３０７で受信した確認情報を送信したノード（第二冷蔵庫）に子のノードが存在するか否かを判断する。子のノードが存在すればステップＳ３０９に行き、子のノードが存在しなければステップＳ３１４に飛ぶ。なお、子のノードとは、以下のことを言う。つまり、送信経路情報は階層構造を有し、階層構造を構成する第二冷蔵庫の情報をノードとする。子のノードとは、あるノードの下位にリンク付けられているノードを言う。
【００３９】
（ステップＳ３０９）情報送信部１１０６は、子のノードの送信先の情報を取得する。この送信先の情報は１以上存在し得る。
【００４０】
（ステップＳ３１０）情報送信部１１０６は、ステップＳ３０９で取得した送信先の情報が示す第二冷蔵庫１２に、ステップＳ３０１で受け付けた情報を送信する。
【００４１】
（ステップＳ３１１）確認受信状況情報出力部１１０８は、確認受信状況情報を出力するための条件に合致するか否かを判断する。条件に合致すればステップＳ３１２に行き、条件に合致しなければステップＳ３０１に戻る。なお、条件に合致するか否かは、例えば、ステップＳ３０７における確認情報の受信状況が一定の条件に合致したか否かである。ここでの一定の条件は、例えば、情報を送信したすべての第二冷蔵庫１２から確認情報を受信することである。また、条件に合致するか否かは、例えば、予め決められた時刻（確認情報を受信する締め切りの時刻）になったか否かである。
【００４２】
（ステップＳ３１２）確認受信状況情報出力部１１０８は、確認情報受信部１１０７が受信した確認情報の受信状況を示す情報である確認受信状況情報を出力する。ステップＳ３０１に戻る。
【００４３】
（ステップＳ３１３）確認受信状況情報出力部１１０８は、情報を送信したすべてのノード（第二冷蔵庫１２）から確認情報を受信したか否かを判断する。すべてのノードから確認情報を受信すれば処理を終了し、すべてのノードから確認情報を受信していなければステップＳ３０１に戻る。
【００４４】
（ステップＳ３１４）確認受信状況情報出力部１１０８は、情報を送信したすべてのノード（第二冷蔵庫１２）から確認情報を受信したか否かを判断する。すべてのノードから確認情報を受信すればステップＳ３１１に行き、すべてのノードから確認情報を受信していなければステップＳ３０１に戻る。
【００４５】
図３のフローチャートにおいて、送信する情報や送信経路情報は入力したが、あらかじめ格納されていても良い。かかる場合、第一冷蔵庫１１は、入力受付部１１０１、情報記録部１１０２、送信経路情報記録部１１０４を具備しない。
【００４６】
また、図３のフローチャートにおいて、送信経路情報は２段以上の階層構造を有することを想定していたが、階層構造を有さない１段の情報でも良い。送信経路情報が１段の情報の場合は、情報は一斉に１以上の第二冷蔵庫に送信される。
【００４７】
また、図３のフローチャートにおいて、確認受信状況情報出力部１１０８は、一定の条件に合致する場合に確認受信状況情報を出力したが、確認情報を受信すれば無条件に確認受信状況情報を出力しても良い。
【００４８】
さらに、図３のフローチャートにおいて、確認受信状況情報出力部１１０８は、自動的に確認受信状況情報を出力したが、第一冷蔵庫１１のユーザの指示（アクセス）により確認受信状況情報を出力しても良い。
【００４９】
次に、第二冷蔵庫１２の動作について図４のフローチャートを用いて説明する。
【００５０】
（ステップＳ４０１）情報受信部１２０１は、情報を受信したか否かを判断する。情報を受信すればステップＳ４０２に行き、情報を受信しなければステップＳ４０１に戻る。
【００５１】
（ステップＳ４０２）情報出力部１２０２は、ステップＳ４０１で受信した情報を出力する。
【００５２】
（ステップＳ４０３）情報入力受付部１２０３は、情報の出力に対して、入力を受け付けたか否かを判断する。入力を受け付ければステップＳ４０４に行き、入力を受け付けなければステップＳ４０６に飛ぶ。ここでの、入力を受け付けは、例えば、タッチパネルで構成された画面へのタッチの受け付けである。
【００５３】
（ステップＳ４０４）確認情報送信部１２０４は、送信する確認情報を構成する。
【００５４】
（ステップＳ４０５）確認情報送信部１２０４は、ステップＳ４０４で構成した確認情報を第一冷蔵庫１１に送信する。処理を終了する。
【００５５】
（ステップＳ４０６）ドア開閉検知部１２０５は、第二冷蔵庫１２のドアの開閉を検知したか否かを判断する。ドアの開閉を検知すればステップＳ３０７に行き、ドアの開閉を検知しなければステップＳ４０１に戻る。
【００５６】
（ステップＳ４０７）入力催促部１２０６は、入力を促す。ステップＳ４０１に戻る。入力を促す方法は、種々あり、五感に訴えるものであれば良い。具体例は、以下で示す。
【００５７】
以下、本実施の形態における冷蔵庫や情報処理装置等の具体的な動作について説明する。今、図５に示す送信経路情報を第一冷蔵庫１１に入力した、とする。第一冷蔵庫１１は、図５の送信経路情報を記録して、格納している。送信経路情報は、冷蔵庫の電話番号と冷蔵庫のユーザの名称を示す。この送信経路情報は、ソフトボールのクラブの連絡網である。なお、図５の送信経路情報において、監督のノードは無くても良い。ここでは、監督のノードの情報は、情報送信に利用されないからである。ここで、監督のノードは、階層構造の０段目とする。
【００５８】
次に、第一冷蔵庫１１（監督の冷蔵庫）に図６の情報を入力した、とする。この情報は、次回の試合の連絡情報である。そして、第一冷蔵庫１１は、図６の情報を図５の送信経路情報に基づいて送信する。つまり、第一冷蔵庫１１は図５の送信経路情報から１段目の電話番号を取得する。つまり、コーチ１の電話番号「０５０−２２２２−３３３３」とコーチ２の電話番号「０５０−３３３−４４４４」を取得する。そして、第一冷蔵庫１１はコーチ１の電話番号「０５０−２２２２−３３３３」とコーチ２の電話番号「０５０−３３３−４４４４で特定される２つの第二冷蔵庫に、図６の情報を送信する。
【００５９】
次に、コーチ１の冷蔵庫とコーチ２の冷蔵庫は図６の情報を取得する。コーチ１の冷蔵庫１２とコーチ２の冷蔵庫は図７に示すような画面を表示する。また、このコーチ１の冷蔵庫とコーチ２の冷蔵庫の画面はタッチパネルで構成されている。
【００６０】
次に、例えば、コーチ１が「出席」ボタンを押下した（入力した）、とする。次に、コーチ１の冷蔵庫１２は、図８に示す構造を有する確認情報を構成する。コーチ１の冷蔵庫１２が構成した確認情報の具体例を図９に示す。そして、コーチ１の冷蔵庫１２は、図９の確認情報を第一冷蔵庫（監督の冷蔵庫）に送信する。
【００６１】
監督の冷蔵庫（第一冷蔵庫１１）は、図９の確認情報を受信し、確認受信状況情報を構成し、出力する。図１０は、監督の冷蔵庫が出力した確認受信状況情報の例である。ここでは、階層構造を有する送信経路情報を図的に表示し、かつ確認情報を返送した冷蔵庫（監督の冷蔵庫を除く）のノードを他のノードと視覚的に区別して、確認情報を返送した旨を明示している。
【００６２】
次に、監督の冷蔵庫（第一冷蔵庫１１）は、コーチ１のノードの下位のノードの電話番号を取得する。コーチ１からの確認情報を受信した後に、下位のメンバーに情報を送信する趣旨である。そして、監督の冷蔵庫は、メンバー１からメンバー１０の電話番号を取得し、当該電話番号で特定できる１０人のメンバーの冷蔵庫に図６の情報を送信する。
【００６３】
次に、コーチ２が「欠席」ボタンを押下した、とする。次に、コーチ２の冷蔵庫は、図１１に示す確認情報を構成し、監督の冷蔵庫に送信する。
【００６４】
監督の冷蔵庫は、図１１の確認情報を受信し、確認受信状況情報を構成し、出力する。この確認受信状況情報の表示例は、図１２である。図１２によれば、試合に出席するコーチ１のノードと試合に欠席するコーチ２のノードの表示が異なり、視覚的に試合の出欠が分かるようになっている。
【００６５】
次に、監督の冷蔵庫は、コーチ２のノードの下位のノードの電話番号を取得する。そして、監督の冷蔵庫は、メンバー１１からメンバー２０の電話番号を取得し、当該電話番号で特定できる１０人のメンバーの冷蔵庫に図６の情報を送信する。
【００６６】
次に、メンバー１からメンバー２０の冷蔵庫（第二冷蔵庫）は、図６の情報を受信し、出力する。そして、メンバー１からメンバー２０は出欠を冷蔵庫から入力し、メンバー１からメンバー２０の冷蔵庫は図８の構造を有する確認情報を送信する。この確認情報は、監督の冷蔵庫にも上位のノードのコーチの冷蔵庫にも送信される、とする。
【００６７】
なお、送信経路情報が階層化されている意図は、例えば、以下の理由からである。欠席のメンバーがいる場合に、例えば、そのメンバーの上位のノードのコーチがメンバーに出席するように指導するためである。かかる場合に、コーチに情報が確実に伝わっていることが必要である。
【００６８】
次に、あるメンバーが確認情報を返送しない場合について説明する。図１３は、そのメンバーの冷蔵庫である。そして、この冷蔵庫には、ドア開閉検知部１２０５が設置されている。このドア開閉検知部１２０５は、例えば、突起部１３１を有する。ドアが閉じている状態において、突起部１３１は押されている。そして、ドアが開いた場合に、当該突起部１３１は前面に出る。ドア開閉検知部１２０５は、突起部１３１が押された状態であるか、前面に出た状態であるかを認識でき、その結果ドアの開閉を判断できる。
【００６９】
そして、図１３の冷蔵庫は、突起部１３１が前面に出た状態になった場合に、情報入力受付部１２０３が入力を受け付けたか否かを判断し、入力を受け付けていなければ、入力催促部１２０６は入力を促す。ここでは、入力を受け付けていないので、入力催促部１２０６は入力を促す。
【００７０】
具体的には、図１３の冷蔵庫は、「ピッピッ」と注意を促す音声をスピーカ１３２から出力し、セーブモードのディスプレイ１３３を通常のモードにして、再度、受信していた試合の連絡情報を表示する（図１３参照）。
【００７１】
なお、ドア開閉検知部１２０５は、赤外線等の他の手段により冷蔵庫のドアの開閉を検知しても良い。冷蔵庫のドアの開閉を検知する手段は公知技術であるので、ここでの詳細な説明は省略する。
【００７２】
以上、本実施の形態によれば、常に電源が入っており、家庭の主婦等が日常利用する冷蔵庫を用いて、情報の連絡が容易に実現できる。また、人が家に居る場合には、１日に何度かは必ず冷蔵庫を利用する。かかる冷蔵庫を利用した情報の連絡は、迅速に行われ、特に、緊急性を要する情報の連絡には有効である。また、冷蔵庫のドアの開閉は、必ず何度かは行う。かかるドアの開閉を検知して確認情報の入力の注意を促せば、さらに、情報の連絡が確実にかつ迅速に行われる。
【００７３】
なお、本実施の形態において、送信経路情報は階層構造を有する情報であったが、階層構造を有さなくても良い。かかる場合、第一冷蔵庫から、一斉に１以上の第二冷蔵庫に情報が送信される。
【００７４】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。かかることも、他の実施の形態においても同様である。なお、本実施の形態において説明した第一冷蔵庫の動作を実現するプログラムは、コンピュータに、格納している送信経路情報に基づいて、格納している情報を他の冷蔵庫に送信する情報送信ステップと、確認情報を他の冷蔵庫から受信する確認情報受信ステップと、確認情報受信ステップで受信した確認情報の受信状況を示す情報である確認受信状況情報を出力する確認受信状況情報出力ステップを実行させるためのプログラムである。
【００７５】
また、本実施の形態において説明した第二冷蔵庫の動作を実現するプログラムは、コンピュータに、他の冷蔵庫から情報を受信する情報受信ステップと、当該情報を出力する情報出力ステップと、情報の出力に対応して、入力を受け付ける入力受付ステップと、入力受付ステップで入力を受け付けた場合に、確認情報を構成し、当該確認情報を他の冷蔵庫に送信する確認情報送信ステップを実行させるためのプログラムである。
【００７６】
（実施の形態２）
【００７７】
図１４は、本実施の形態における情報処理システムの概念図である。情報処理システムは、第一冷蔵庫１４１、情報処理装置１４２、および複数の第二冷蔵庫１４３（１４３（１）、１４３（２）・・・１４３（ｎ）等）を有し、それぞれの装置は通信が可能である。
【００７８】
第一冷蔵庫１４１から情報が情報処理装置１４２に送信される。情報処理装置１４２は、送信経路情報を保持しており、かかる送信経路情報に基づいて情報を第二冷蔵庫１４３に送信する。第二冷蔵庫１４３は、情報を受信し、出力する。第二冷蔵庫１４３のユーザは、出力された情報に対して確認情報（出力された情報を確認した旨の情報）の入力を行う。第二冷蔵庫１４３は、確認情報を構成し、送信する。情報処理装置１４２は、確認情報を受信する。
【００７９】
図１５は、情報処理システムのブロック図である。情報処理システムは、第一冷蔵庫１４１、情報処理装置１４２、第二冷蔵庫１４３を有する。ここでは、簡単化のために、第二冷蔵庫１４３は一つとして記載する。
【００８０】
第一冷蔵庫１４１は、入力受付部１１０１、情報記録部１１０２、情報格納部１１０３、第一情報送信部１４１０１、確認受信状況情報受信部１４１０２、確認受信状況情報出力部１４１０３を有する。
【００８１】
情報処理装置１４２は、送信経路情報格納部１４２０１、第二情報受信部１４２０２、第二情報送信部１４２０３、確認情報受信部１４２０４、確認受信状況情報蓄積部１４２０５、確認受信状況情報送信部１４２０６を有する。
【００８２】
第二冷蔵庫１４３は、第三情報受信部１４３０１、情報出力部１２０２、情報入力受付部１２０３、確認情報送信部１２０４、ドア開閉検知部１２０５、入力催促部１２０６を有する。なお、第二冷蔵庫１４３の機能は、第二冷蔵庫１２の機能と同様である。第二冷蔵庫１４３と第二冷蔵庫１２は、情報の受信元と確認情報の送信先が異なる。
【００８３】
第一情報送信部１４１０１は、情報格納部１１０３に格納されている情報を情報処理装置１４２に送信する。情報を送信するタイミングは問わない。第一情報送信部１４１０１は、例えば、ユーザの指示により情報を情報処理装置１４２に送信する。第一情報送信部１４１０１は、例えば、入力受付部１１０１が情報の入力を受け付けた後、直ちに情報を送信する。第一情報送信部１４１０１は、通常、無線または有線の通信手段で実現され得る。なお、第一情報送信部１４１０１は、ＣＡＴＶを含む放送手段でも実現可能である。
【００８４】
確認受信状況情報受信部１４１０２は、確認受信状況情報を情報処理装置１４２から受信する。確認受信状況情報受信部１４１０２は、通常、無線または有線の通信手段で実現され得る。なお、確認受信状況情報受信部１４１０２は、ＣＡＴＶを含む放送を受信する手段でも実現可能である。また、確認受信状況情報受信部１４１０２と第一情報送信部１４１０１は、通常、一の通信手段により実現される。
【００８５】
確認受信状況情報出力部１４１０３は、確認受信状況情報受信部１４１０２が受信した確認受信状況情報を出力する。出力とは、通常、ディスプレイへの表示を言うが、スピーカーへの音出力でも良い。確認受信状況情報出力部１４１０３は、ディスプレイ等の出力媒体を含むと考えても、出力媒体を含まないと考えても良い。
【００８６】
送信経路情報格納部１４２０１は、送信経路情報を格納している。送信経路情報格納部１４２０１は、不揮発性の記録媒体でも揮発性の記録媒体でも良い。また、送信経路情報を格納する方法は問わない。
【００８７】
第二情報受信部１４２０２は、第一冷蔵庫１４１から情報を受信する。第二情報受信部１４２０２は、通常、無線または有線の通信手段で実現され得る。なお、第二情報受信部１４２０２は、ＣＡＴＶを含む放送を受信する手段でも実現可能である。
【００８８】
第二情報送信部１４２０３は、第二情報受信部１４２０２が受信した情報を、送信経路情報格納部１４２０１に格納されている送信経路情報に基づいて、第二冷蔵庫１４３に送信する。つまり、第二情報送信部１４２０３は、送信経路情報から情報を送信する第二冷蔵庫１４３を決定し、当該第二冷蔵庫１４３に情報を送信する。
【００８９】
確認情報受信部１４２０４は、１以上の第二冷蔵庫１４３から確認情報を受信する。確認情報受信部１４２０４は、通常、無線または有線の通信手段で実現され得る。なお、第二情報受信部１４２０２は、ＣＡＴＶを含む放送を受信する手段でも実現可能である。
【００９０】
確認受信状況情報蓄積部１４２０５は、確認情報受信部１４２０４で受信した確認情報に基づいて確認受信状況情報を構成し、当該確認受信状況情報を蓄積する。確認受信状況情報のデータ構造は問わない。確認受信状況情報は、確認情報と同一の情報でも良い。確認受信状況情報を蓄積する記録媒体は、確認受信状況情報蓄積部１４２０５が有する。この記録媒体は、不揮発性の記録媒体でも揮発性の記録媒体でも良い。確認受信状況情報蓄積部１４２０５の蓄積処理は、通常、ソフトウェアで実現される。但し、ハードウェア（専用回路）で実現しても良い。
【００９１】
確認受信状況情報送信部１４２０６は、確認受信状況情報蓄積部１４２０５が蓄積した確認受信状況情報を第一冷蔵庫１４１に送信する。確認受信状況情報を第一冷蔵庫１４１に送信するタイミングは問わない。確認受信状況情報送信部１４２０６は、例えば、すべての第二冷蔵庫１４３から確認情報を受信した場合に、確認受信状況情報を第一冷蔵庫１４１に送信する。また、確認受信状況情報送信部１４２０６は、例えば、第一冷蔵庫１４１からの指示により確認受信状況情報を第一冷蔵庫１４１に送信する。確認受信状況情報送信部１４２０６は、通常、無線または有線の通信手段で実現され得る。なお、確認受信状況情報送信部１４２０６は、ＣＡＴＶを含む放送手段でも実現可能である。また、確認受信状況情報送信部１４２０６、第二情報受信部１４２０２、第二情報送信部１４２０３、および確認情報受信部１４２０４は、通常、一の通信手段で実現される。
【００９２】
第三情報受信部１４３０１は、情報処理装置１４２から情報を受信する。第三情報受信部１４３０１は、通常、無線または有線の通信手段で実現され得る。なお、第三情報受信部１４３０１は、ＣＡＴＶを含む放送を受信する手段でも実現可能である。
【００９３】
以下、本情報処理システムの動作について説明する。まず、第一冷蔵庫１４１の動作について説明する。第一冷蔵庫１４１は、第一冷蔵庫１４１のユーザから情報の入力を受け付ける。そして、第一冷蔵庫１４１は、例えば、ユーザの指示により、受け付けた情報を情報処理装置１４２に送信する。また、第一冷蔵庫１４１は、情報処理装置１４２から確認受信状況情報を受信する。そして、第一冷蔵庫１４１は、当該確認受信状況情報を出力する。なお、第一冷蔵庫１４１が確認受信状況情報を出力するタイミングは問わない。
【００９４】
次に、情報処理装置１４２の動作について図１６のフローチャートを用いて説明する。
【００９５】
（ステップＳ１６０１）第二情報受信部１４２０２は、第一冷蔵庫１４１から情報を受信したか否かを判断する。情報を受信すればステップＳ１６０２に行き、情報を受信しなければステップＳ１６０４に飛ぶ。
【００９６】
（ステップＳ１６０２）第二情報送信部１４２０３は、送信経路情報格納部１４２０１に格納されている１段目の送信先を示すノード（第二冷蔵庫）の情報を取得する。この情報は、第二冷蔵庫のＩＰアドレス等である。
【００９７】
（ステップＳ１６０３）第二情報送信部１４２０３は、ステップＳ１６０３で取得した送信先にステップＳ１６０１で受け付けた情報を送信する。ステップＳ１６０１に戻る。
【００９８】
（ステップＳ１６０４）確認情報受信部１４２０４は、第二冷蔵庫１４３から確認情報を受信したか否かを判断する。確認情報を受信すればステップＳ１６０５に行き、確認情報を受信しなければステップＳ１６０１に戻る。
【００９９】
（ステップＳ１６０５）確認受信状況情報蓄積部１４２０５は、ステップＳ１６０４で取得した確認情報に基づいて確認受信状況情報を構成し、蓄積する。
【０１００】
（ステップＳ１６０６）第二情報送信部１４２０３は、確認情報を送信してきた第二冷蔵庫のノードの子のノードが送信経路情報に存在するか否かを判断する。子のノードが存在すればステップＳ１６０７に行き、子のノードが存在しなければステップＳ１６０９に飛ぶ。
【０１０１】
（ステップＳ１６０７）第二情報送信部１４２０３は、確認情報を送信してきた第二冷蔵庫のノードの子のノード（第二冷蔵庫）の通信先の情報を送信経路情報から取得する。
【０１０２】
（ステップＳ１６０８）第二情報送信部１４２０３は、ステップＳ１６０７で取得した通信先の情報が示す第二冷蔵庫にステップＳ１６０１で取得した情報を送信する。
【０１０３】
（ステップＳ１６０９）確認受信状況情報送信部１４２０６は、予め決められた確認受信状況情報の送信条件に合致するか否かを判断する。確認受信状況情報の送信条件とは、例えば、情報処理装置１４２が、情報を送信したすべての第二冷蔵庫から確認情報を受信することである。また、確認受信状況情報の送信条件とは、例えば、一定の時刻になることである。
【０１０４】
（ステップＳ１６１０）確認受信状況情報送信部１４２０６は、確認受信状況情報蓄積部１４２０５が蓄積した確認受信状況情報を取得する。
【０１０５】
（ステップＳ１６１１）確認受信状況情報送信部１４２０６は、ステップＳ１６１０で取得した確認受信状況情報を第一冷蔵庫１４１に送信する。
【０１０６】
なお、図１６のフローチャートにおいて、一定の条件に合致した場合に確認受信状況情報を第一冷蔵庫１４１に送信したが、確認情報を受信するごとに確認受信状況情報を第一冷蔵庫１４１に送信しても良い。また、確認受信状況情とは確認情報と同一の情報であっても良い。また、第一冷蔵庫１４１の指示により確認受信状況情報を第一冷蔵庫１４１に送信しても良い。
【０１０７】
次に、第二冷蔵庫１４３の動作について説明する。第二冷蔵庫１４３の第三情報受信部１４３０１は、情報処理装置１４２から情報を受信し、情報出力部１２０２は当該情報を出力する。そして、情報入力受付部１２０３は、ユーザからの入力を受け付け、確認情報送信部１２０４は確認情報を構成し、情報処理装置１４２に送信する。また、ドア開閉検知部１２０５がドアの開閉を検知した場合に、確認情報送信部１２０４が確認情報を情報処理装置１４２に送信していなければ、入力催促部１２０６は入力を促す。
【０１０８】
以下、本実施の形態における情報処理システム等の具体的な動作について説明する。情報処理装置１４２は、図１７に示す送信経路情報を保持している。送信経路情報は、ある学校のあるクラスの学級名簿であり、各家庭にある冷蔵庫のＩＰアドレスが含まれる。図１７に示す送信経路情報において、先生のノードの情報は存在しなくても良い。先生のノードの情報は、ここでは情報の送信のために利用されないからである。そして、第一冷蔵庫１４１は先生の自宅にある冷蔵庫である。また、第二冷蔵庫１４３は生徒１、生徒２、生徒ｎの家庭にある冷蔵庫である。
【０１０９】
ここで、先生が図１８の情報を第一冷蔵庫１４１に入力する。そして、第一冷蔵庫は、図１８の情報を情報処理装置１４２に送信する。情報処理装置１４２は、図１８の情報を受信する。情報処理装置１４２は、図１７の送信経路情報から生徒１から生徒ｎの冷蔵庫のＩＰアドレスを取得する。そして、情報処理装置１４２は、図１８の情報を生徒１から生徒ｎの冷蔵庫に送信する。
【０１１０】
生徒１から生徒ｎの冷蔵庫は、図１８の情報を受信する。そして、例えば、生徒１の冷蔵庫は図１９に示すように図１８の情報を表示する。そして、情報を受信して表示する際に、音情報を出力して、ユーザに情報の受信を知らせる。ここでは、「ピッピッ」という音を出力する。
【０１１１】
次に、情報の受信に気が付いた生徒１は、図１９の画面をタッチする。なお、図１９の冷蔵庫の画面は、タッチパネルで構成されている。また、このタッチが、情報を確認した合図である。
【０１１２】
次に、生徒１の第二冷蔵庫は、生徒１のＩＰアドレス「１３２．１６８．０．２」を情報処理装置１４２に送信する。つまり、ここでは、ＩＰアドレスが確認情報である。
【０１１３】
次に、情報処理装置１４２は、確認情報「１３２．１６８．０．２」を受信し、蓄積する。図２０は、確認受信状況情報を示す表である。図２０は、「ＩＤ」と「確認情報」を有するレコードを１以上保持している表である。「ＩＤ」により、情報を確認した生徒の数が分かる。また、「確認情報」により情報を確認した生徒が誰であるか分かる。
【０１１４】
そして、例えば、予め設定した時刻８時になったときに、情報処理装置１４２は、第一冷蔵庫１４１に確認受信状況情報を送信する。そして、第一冷蔵庫１４１のユーザの先生は、誰が情報を確認していないか判断する。そして、例えば、先生は、情報を確認していない生徒の自宅に電話をして、電話で情報（運動会の中止の情報）を知らせる。
【０１１５】
また、生徒の冷蔵庫において、ドアを開閉した場合に、確認情報の入力をしていない冷蔵庫において、確認情報の入力が促される。かかる処理は、実施の形態１で説明した処理と同様である。
【０１１６】
以上、本実施の形態によれば、常に電源が入っており、家庭の主婦等が日常利用する冷蔵庫を用いて、情報の連絡が容易に実現できる。また、人が家に居る場合には、１日に何度かは必ず冷蔵庫を利用する。かかる冷蔵庫を利用した情報の連絡は、迅速に行われ、特に、緊急性を要する情報の連絡には有効である。また、冷蔵庫のドアの開閉は、必ず何度かは行う。かかるドアの開閉を検知して確認情報の入力の注意を促せば、さらに、情報の連絡が確実にかつ迅速に行われる。また、本実施の形態に送信経路情報は情報処理装置に格納されていた。つまり、一の情報処理装置で送信経路情報を格納し、必要に応じて変更すれば良いので、送信経路情報のメンテナンスに便利である。情報処理装置は、例えば、学校に設置される。また、情報処理装置を運営するアプリケーションサービスプロバイダーが存在し得る。
【０１１７】
なお、本実施の形態の具体例において、送信経路情報は階層構造をしなかったが、実施の形態１の具体例で述べたように、階層構造を有しても良い。
【０１１８】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。かかることも、他の実施の形態においても同様である。なお、本実施の形態において説明した情報処理装置の動作を実現するプログラムは、コンピュータに、情報を受信する第二情報受信ステップと、格納している送信経路情報に基づいて、受信した情報を第二冷蔵庫に送信する第二情報送信ステップと、第二冷蔵庫から確認情報を受信する確認情報受信ステップと、確認情報の受信状況に関する情報である確認受信状況情報を蓄積する確認受信状況情報蓄積ステップを実行させるためのプログラムである。
【発明の効果】
以上のように、本発明によれば、常に電源が入っており、家庭の主婦等が日常利用する冷蔵庫を用いて、情報の連絡が容易に実現できる。
【図面の簡単な説明】
【図１】実施の形態１における情報処理システムの概念図
【図２】実施の形態１における情報処理システムのブロック図
【図３】実施の形態１における第一冷蔵庫の動作について説明するフローチャート
【図４】実施の形態１における第二冷蔵庫の動作について説明するフローチャート
【図５】実施の形態１における送信経路情報の例を示す図
【図６】実施の形態１における第一冷蔵庫に入力された情報の例を示す図
【図７】実施の形態１における冷蔵庫の画面例を示す図
【図８】実施の形態１における確認情報の構造を示す図
【図９】実施の形態１における確認情報の例を示す図
【図１０】実施の形態１における確認受信状況情報の出力例を示す図
【図１１】実施の形態１における確認受信状況情報の例を示す図
【図１２】実施の形態１における確認受信状況情報の出力例を示す図
【図１３】実施の形態１における冷蔵庫を示す図
【図１４】実施の形態２における情報処理システムの概念図
【図１５】実施の形態２における情報処理システムのブロック図
【図１６】実施の形態２における情報処理装置の動作について説明するフローチャート
【図１７】実施の形態２における送信経路情報の例を示す図
【図１８】実施の形態２における第一冷蔵庫に入力された情報の例を示す図
【図１９】実施の形態２における冷蔵庫の情報出力例を示す図
【図２０】実施の形態２における確認受信状況情報を示す表を示す図
【符号の説明】
１１、１４１　第一冷蔵庫
１２、１４３　第二冷蔵庫
１４２　情報処理装置
１１０１　入力受付部
１１０２　情報記録部
１１０３　情報格納部
１１０４　送信経路情報記録部
１１０５、１４２０１　送信経路情報格納部
１１０６　情報送信部
１１０７、１４２０４　確認情報受信部
１１０８、１４１０３　確認受信状況情報出力部
１２０１　情報受信部
１２０２　情報出力部
１２０３　情報入力受付部
１２０４　確認情報送信部
１２０５　ドア開閉検知部
１２０６　入力催促部
１４１０１　第一情報送信部
１４１０２　確認受信状況情報受信部
１４２０２　第二情報受信部
１４２０３　第二情報送信部
１４２０５　確認受信状況情報蓄積部
１４２０６　確認受信状況情報送信部
１４３０１　第三情報受信部
【図１】
2004138280.tif 000003
【図２】
2004138280.tif 000004
【図３】
2004138280.tif 000005
【図４】
2004138280.tif 000006
【図５】
2004138280.tif 000007
【図６】
2004138280.tif 000008
【図７】
2004138280.tif 000009
【図８】
2004138280.tif 000010
【図９】
2004138280.tif 000011
【図１０】
2004138280.tif 000012
【図１１】
2004138280.tif 000013
【図１２】
2004138280.tif 000014
【図１３】
2004138280.tif 000015
【図１４】
2004138280.tif 000016
【図１５】
2004138280.tif 000017
【図１６】
2004138280.tif 000018
【図１７】
2004138280.tif 000019
【図１８】
2004138280.tif 000020
【図１９】
2004138280.tif 000021
【図２０】
2004138280.tif 000022